(57)【要約】【課題】  洋式便器の便座に腰掛けて男性が小用をたす際に、便器前方への小便の飛散を防止することができる小用飛散防止装置付き洋式便器を提供すること。【解決手段】  小用飛散防止装置付き洋式便器は、便座１０の少なくとも前方部分の下方に延在し、便座１０と便器本体２０との間の間隙３０の一部又は全部を遮蔽する遮蔽体２を備えている。この遮蔽体２は、便座１０に装着用両面テープ４を介して着脱可能となっており、さらに、遮蔽体２は、便座１０の前方下方に向かって傾斜して、便器本体２０内に延出している。【選択図】  図３
2005177095.tif 000002
【特許請求の範囲】
【請求項１】
便器本体と、該便器本体に対し開閉自在な便座と、該便座の少なくとも前方部分に設けられ、該便座を閉じた状態で該便座と前記便器本体との間の間隙の一部又は全部を遮蔽する遮蔽体と、を有する小用飛散防止装置付き洋式便器。
【請求項２】
前記遮蔽体は、前記便座に設けられ、該便座を閉じた状態で、該便座の少なくとも前方部分の下側から下方に向かって延出するようになっている請求項１に記載の小用飛散防止装置付き洋式便器。
【請求項３】
前記遮蔽体は、該便座の前方下方に向かって傾斜するとともに前記便器本体の中へ延出するようになっている請求項２に記載の小用飛散防止装置付き洋式便器。
【請求項４】
前記遮蔽体は、前記便座に着脱可能な部材から構成されている請求項１ないし３のいずれかに記載の小用飛散防止装置付き洋式便器。
【請求項５】
前記遮蔽体は、前記便座に一体に形成されている請求項１ないし３のいずれかに記載の小用飛散防止装置付き洋式便器。
【請求項６】
前記遮蔽体は、前記便座が閉じられた状態で、前記便座と便器本体との間の間隙の一部又は全部を遮蔽するように、前記便器本体の前方部分に設けられている請求項１に記載の小用飛散防止装置付き洋式便器。
【請求項７】
前記遮蔽体は、前記便器本体の少なくとも前方部分を上方に向けて隆起させてなる請求項６に記載の小用飛散防止装置付き洋式便器。
【請求項８】
前記遮蔽体は、前記便器本体に一体に形成されている請求項６または７に記載の小用飛散防止装置付き洋式便器。
【請求項９】
前記遮蔽体は、前記便器本体に着脱可能となっている請求項６ないし８のいずれかに記載の小用飛散防止装置付き洋式便器。
【発明の詳細な説明】
【技術分野】
【０００１】
本発明は、男性が洋式便器に着座して小用をする際に小便が飛散することを防止する小用飛散防止装置付き洋式便器に関するものである。
【背景技術】
【０００２】
従来構造の洋式便座は、便座の下面が便器本体の上面と直接接触することを防止するために、複数のスペーサーが設けられている。このため、便座下面と便器本体上面との間には間隙が存在していた。
【発明の開示】
【発明が解決しようとする課題】
【０００３】
しかしながら、便座に腰掛けて男性が小用をたす場合、この便座又は便器本体の前方部分に存在する便座と便器本体との間の間隙を通じて小便が飛散する場合があり、それにより周囲を汚したり、降ろした下着を汚すという問題点があった。
【０００４】
上記問題点に鑑み、本発明は、便座に腰掛けて男性が小用をたす際に、小便の飛散を防止することができる小用飛散防止装置付き洋式便器を提供することを目的とする。
【課題を解決するための手段】
【０００５】
上記目的を達成するため、本発明の小用飛散防止装置付き洋式便器は、便器本体と、該便器本体に対し開閉自在な便座と、該便座の少なくとも前方部分に設けられ、該便座を閉じた状態で該便座と前記便器本体との間の間隙の一部又は全部を遮蔽する遮蔽体と、を備えたことを特徴とする。
【０００６】
上記構成により便座と便器との間の間隙を遮蔽体により遮蔽することができる。このため、便座に腰掛けて男性が小用をたす場合、間隙からの小便の飛散を遮蔽体によって防止することができる。
【０００７】
また、本発明の小用飛散防止装置付き洋式便器では、前記遮蔽体を前記便座に設け、該便座を閉じた状態で、該便座の少なくとも前方部分の下側から下方に向かって延出するようにすることが好ましい。この場合、前記遮蔽体は、該便座の前方下方に向かって傾斜するとともに前記便器本体の中へ延出するようにすることがより好ましい。これにより、小便の飛沫が上方に飛散することを防止することができ、また小便を確実に便器本体に流すことが可能となる。
【０００８】
また、前記遮蔽体を便座に着脱可能な部材から構成してもよい。これにより従来構造の便座に装着部材を介して遮蔽体を取り付けることが可能となり、便座全体を交換する必要が無い。
【０００９】
また、前記遮蔽体は便座に一体に形成してもよい。このように遮蔽体を便座と一体に形成することにより、製造が容易になる。
【００１０】
また、前記遮蔽体は、前記便座が閉じられた状態で、前記便座と便器本体との間の間隙の一部又は全部を遮蔽するように、前記便器本体の前方部分に設けることもできる。
【００１１】
この場合、前記遮蔽体は、前記便器本体の少なくとも前方部分を斜め上方に向けて延出させて形成することが好ましい。また、前記遮蔽体は、前記便器本体に一体に形成することも可能である。
また、前記遮蔽体は、前記便器本体に着脱可能にすることも可能である。
【００１２】
本発明の他の目的、作用及び効果は、以下の実施の形態及びその図面から明らかにされる。
【発明を実施するための最良の形態】
【００１３】
以下、本発明の第１実施例に係る小用飛散防止装置付き洋式便器を図１乃至図３を参照しつつ説明する。
【００１４】
図１に示す小用飛散防止装置１は、遮蔽体２と、遮蔽体２の上部周囲に設けた安定用突起部３と、遮蔽体２の上面及び安定用突起部３の上面に設けた装着用両面テープ４（斜線部分）とから構成されている。なお、装着部材としての両面テープ４は一例であり、他の装着部材として螺子等適宜選択することができる。
【００１５】
この遮蔽体２と安定用突起部３は、可撓性の合成樹脂製であり、一体に成型されている。この遮蔽体２は、便座が閉じられた状態で、図３に示す便座１０と便器本体２０との間隙３０を遮蔽するに十分な高さを有する。さらに、図３に示すように、遮蔽体２は便座１０の前方下方に向かって傾斜するように成型されている。なお、符号１１は、便座１０の下面１２が便器本体２０の上面２１と直接接触することを防止するためのスペーサーである。
【００１６】
図２に示すように、小用飛散防止装置１は、便座１０の前方部分の下方に遮蔽体２が延在するように、装着用両面テープ４により便座１０の裏面に貼着する。また、小用飛散防止装置１は、図２に一点鎖線で示されている便座１０の内側縁１３の内側に沿って遮蔽体２が位置するように便座１０の下面１２に貼着される。また、小用飛散防止装置１は、遮蔽体２が便器本体２０の内側縁２２に干渉しないよう貼着する。
【００１７】
なお、上記説明は、Ｏ型の便座に関するものであるが、当該便座に限定する趣旨ではなく、前方が分離したＵ型等、全ての形状の便座が含まれる。また、これら便座には、ヒーター付きや臀部洗浄機能／乾燥機能等を有するものもすべて含まれる。
【００１８】
以下、本実施例の作用効果について説明する。上述したように小用飛散防止装置１を設置し、便座１０を便器本体２０の上面２１に載置すると、便座１０と便器本体２０との間の間隙３０が遮蔽体２によって遮蔽される。便座に腰掛けて男性が小用をたす場合、間隙３０が遮蔽体２によって遮蔽されているため、小便が間隙３０から飛散することが防止される。
【００１９】
さらに、小用飛散防止装置１は、従来構造の便座１０に装着部材を介して遮蔽体２を取り付けることが可能であるため、便座全体を交換する必要が無い。また、遮蔽体２が便座１０の前方下方に向かって傾斜しているため、小便の飛沫が上方に飛散することを防止することができる。
【００２０】
この第１実施例は、小用飛散防止装置１の遮蔽体２が、便座前方部分の下方のみに設けられているが、遮蔽体２を便座１０の内側縁１３の内側全周に延在させるようにしても良い。この場合、装着用両面テープによる貼着面積が増大するため、小用飛散防止装置と便座との結合を確実にすることができる。
【００２１】
さらに遮蔽体２を便座１０と一体に設けることも可能である。この場合においても、遮蔽体２を便座１０の少なくとも前方部分の下方に延在させ、便座１０と便器本体２０との間の間隙の一部又は全部を遮蔽するように設ける。特に、遮蔽体２を便座１０と一体成型する場合には、従来構造の便座の製造コストと略同様の製造コストで実現することが可能である。
【００２２】
次に、本発明の第２実施例に係る便器本体４０について、図４及び図５を参照しつつ説明する。
【００２３】
この便器本体４０の前方には、便器本体４０の上面４３を隆起させて形成した隆起体４１が設けられている。この隆起体４１の内壁である遮蔽体４２は、便座が閉じられた状態で、図４に示す便座１０と便器本体４０との間に間隙３０を生じないように、上方に向かって十分な高さを有する。また、この遮蔽体４２は、便器本体４０の前方下方に向かって傾斜している。
【００２４】
この第２実施例は、上記第１実施例と同様に、遮蔽体４２によって小便の飛散を防止することができる。また、遮蔽体４２が、便器本体４０の前方下方に向かって傾斜しているため、小便の飛沫が上方に飛散することを防止することができる。
【００２５】
さらに、遮蔽体４２が便器本体４０と一体に成型されているため、従来構造の洋式便器の製造コストと略同様の製造コストで実現することが可能である。
【００２６】
この第２実施例の隆起体４１は、便器本体４０と別体の構成とすることも可能である。この場合、隆起体の下面に装着部材である両面テープ等を設け、隆起体を便器本体４０の上面に装着する。
【図面の簡単な説明】
【００２７】
【図１】本発明の第１実施例に係る小用飛散防止装置１の斜視図である。
【図２】図１に示す小用飛散防止装置１を便座１０の裏面に装着した状態を示す説明図である。なお、図面が煩雑になるため、遮蔽体２の傾斜状態は省略されて図示されている。
【図３】図１に示す小用飛散防止装置１の装着状態において、小用飛散防止装置１と便器本体２０との位置関係を示す説明図である。
【図４】本発明の第２実施例に係る便器本体４０を示し、便器本体４０と便座１０との位置関係を示す説明図である。
【図５】図４に示す便器本体４０の前方部分における部分拡大斜視図である。
【符号の説明】
【００２８】
１    小用飛散防止装置
２    遮蔽体
３    安定用突起部
４    両面テープ
１０  便座
１１  スペーサー
１２  便座下面
１３  便座内側縁
２０  便器本体
２１  便器本体上面
２２  便器本体内側縁
３０  間隙
４０  便器本体
４１  隆起体
４２  遮蔽体
４３  便器本体上面
【図１】
2005177095.tif 000003
【図２】
2005177095.tif 000004
【図３】
2005177095.tif 000005
【図４】
2005177095.tif 000006
【図５】
2005177095.tif 000007